(57)【要約】【課題】反射鏡定位構造及びそのレーザスキャン装置を提供する。【解決手段】本考案の反射鏡定位構造は、反射鏡を支持することに用い、反射鏡収納部材と、支持部材と、を含む。反射鏡収納部材は、収納部及び該収納部と接続するガイド柱を有し、該反射鏡の一端が該収納部に固定される。支持部材は、該反射鏡収納部材を支持することに用い、溝と、固定部材と、を含み、該溝は、該反射鏡収納部材の該ガイド柱を支持することに用い、該ガイド柱が該溝に突出し、該固定部材は、該溝付近に設置され、該ガイド柱を固定することに用い、該反射鏡を該反射鏡定位構造に固定可能にする。【選択図】図２
2012123354.tif 000002
【特許請求の範囲】
【請求項１】
光源と、反射鏡と、感光ドラムと、反射鏡定位構造と、を含み、
該光源は、ビームを発射することに用い、
該反射鏡は、該ビームを受け、反射することに用い、
該反射鏡定位構造は、反射鏡を支持することに用い、反射鏡収納部材と、支持部材と、を含み、
該反射鏡収納部材は、収納部及び該収納部と接続するガイド柱を有し、
該反射鏡の一端が該収納部に固定され、該支持部材は、該反射鏡収納部材を支持することに用い、溝と、固定部材と、を含み、
該溝は、該反射鏡収納部材の該ガイド柱を支持することに用い、該ガイド柱が該溝に突出し、
該固定部材は、該溝付近に設置され、該ガイド柱を固定することに用い、該反射鏡を該反射鏡定位構造に固定可能にするレーザスキャン装置。
【請求項２】
前記固定部材は、更に、
該溝に接続する螺子孔と、
該螺子孔に接続し、該ガイド柱に押圧し、該ガイド柱を固定するパッドと、
を含む請求項１に記載のレーザスキャン装置。
【請求項３】
反射鏡を支持することに用い、反射鏡収納部材と、支持部材と、を含み、
該反射鏡収納部材は、収納部及び該収納部と接続するガイド柱を有し、該反射鏡の一端が該収納部に固定され、
該支持部材は、該反射鏡収納部材を支持することに用い、溝と、固定部材と、を含み、
該溝は、該反射鏡収納部材の該ガイド柱を支持することに用い、該ガイド柱が該溝に突出し、
該固定部材は、該溝付近に設置され、該ガイド柱を固定することに用い、該反射鏡を該反射鏡定位構造に固定可能にする反射鏡定位構造。
【請求項４】
前記固定部材は、更に、
該溝に接続する螺子孔と、
該螺子孔に接続し、該ガイド柱に押圧し、該ガイド柱を固定するパッドと、
を含む請求項３に記載の反射鏡定位構造。
【発明の詳細な説明】
【技術分野】
【０００１】
本発明は、反射鏡定位構造及びそのレーザスキャン装置に関し、特に、イメージミラーを固定し、イメージミラーの角度を調整可能な反射鏡定位構造及びそのレーザスキャン装置に関する。
【背景技術】
【０００２】
現在、レーザビームプリンタLBP(Laser Beam Print)が用いるレーザスキャン装置LSU(Laser Scanning Unit)は、高速回転するポリゴンミラー(polygon mirror)を利用し、レーザビームのスキャン動作(laser beam scanning)を操作し、例えば、US7,079,171、US6,377,293、US6,295,116，又はTW198966に開示されるとおりである。
【０００３】
図１は、従来のレーザスキャン装置の構造図であり、レーザスキャン装置１は、半導体レーザ光源１１を利用し、レーザビーム(laser beam)を発し、先ず、コリメータレンズ(collimator)１２を経由し、平行ビームを形成し、更に、開口絞り(aperture)１３を経由し、ビームが更に、柱面レンズ(cylindrical lens)を経て集束後、線状イメージ(line image)を形成し、高速回転ポリゴンミラー１５上に投射される。
【０００４】
この高速回転ポリゴンミラー１５上には、多面の反射鏡を均一に連続設置し、それは、上記線状イメージ(line image)の焦点位置に位置するか、近接する。ポリゴンミラー１５がレーザビームの投射方向を制御することにより、連続する複数の反射鏡が高速回転時に１つの反射鏡上に投射するレーザビームを主スキャン方向の平行方向に沿って同一回転角度(angular velocity)でfθライナースキャンレンズ１６上まで傾斜反射し、fθライナースキャンレンズ１６は、ポリゴンミラー１５付近に設置され、それは、単一レンズ構造 (single-element scanning lens)又は２つのレンズ構造であることができる。このfθライナースキャンレンズ１６の機能は、ポリゴンミラー１５上の反射鏡を経由して反射し、fθライナースキャンレンズ１６に入射するレーザビームを楕円型光点に集束することができ、イメージミラー１７を介して反射後、感光ドラム(photoreceptor drum)１８上に投射し、ライナースキャン(scanning linearity)の要求を達成することにある。
【０００５】
感光ドラムに投射したレーザ光点の形状及び間隔を一定に維持するため、イメージミラーの感光ドラムに対する角度は、相当重要である。例えば、US2005/0105198A1に開示するように、一対の定位部材を利用し、イメージミラーを挟持し、イメージミラー及び感光ドラムの間で一定の角度を維持し、レーザビームを感光ドラムの特定位置に精確に投射させる。
【０００６】
イメージミラーの感光ドラムに相対する角度が偏差を有する時、イメージミラーの角度を調整する必要がある。従来技術は、イメージミラーの二端に接触する螺子を介し、螺子の高さを調整し、イメージミラーの角度を変化させている。調整時、先ず、イメージミラーの一端の螺子を調整し、その後、他端を調整する。上記調整方式は、イメージミラーが一定の長さを有することにより、二端のそれぞれの調整において、イメージミラーを完全に同期変位させることができず、捻り力がイメージミラーに発生し、イメージミラーの感光ドラムに相対する角度に誤差を有し、感光ドラムに投射するレーザ光点が偏差を有する。上記状況は、レーザ光点の形状が変形するか、レーザ光点の間隔が誤って縮小され、プリントに黒線を発生させる。上記欠陥を改善する為、US207/0034790A1及びUS7,369,287が開示するイメージミラーの固定調整構造は、イメージミラーの角度をより便利に調整することができる。但し、その構造は、複雑過ぎ、且つ価格が崇高である。
【０００７】
本発明が提供するイメージミラー定位構造は、イメージミラーを固定し、より簡単にイメージミラーを調整することができ、従来のイメージミラーの固定調整の問題を改善する。
【発明の概要】
【発明が解決しようとする課題】
【０００８】
本発明の目的は、イメージミラーを容易に固定、調整させることに用い、イメージミラーの定位構造を簡易化するイメージミラー定位構造を提供することである。
【課題を解決するための手段】
【０００９】
上記の目的を達成する為、本発明が提供する反射鏡定位構造は、反射鏡を支持することに用い、反射鏡収納部材と、支持部材と、を含み、該反射鏡収納部材は、収納部及び該収納部と接続するガイド柱を有し、該反射鏡の一端が該収納部に固定され、該支持部材は、該反射鏡収納部材を支持することに用い、溝と、固定部材と、を含み、該溝は、該反射鏡収納部材の該ガイド柱を支持することに用い、該ガイド柱が該溝に突出し、該固定部材は、該溝付近に設置され、該ガイド柱を固定することに用い、該反射鏡を該反射鏡定位構造に固定可能にする。
【００１０】
また、本発明が提供するレーザスキャン装置は、光源と、反射鏡と、感光ドラムと、反射鏡定位構造と、を含み、該光源は、ビームを発射することに用い、該反射鏡は、該ビームを受け、反射することに用い、該反射鏡定位構造は、反射鏡を支持することに用い、反射鏡収納部材と、支持部材と、を含み、該反射鏡収納部材は、収納部及び該収納部と接続するガイド柱を有し、該反射鏡の一端が該収納部に固定され、該支持部材は、該反射鏡収納部材を支持することに用い、溝と、固定部材と、を含み、該溝は、該反射鏡収納部材の該ガイド柱を支持することに用い、該ガイド柱が該溝に突出し、該固定部材は、該溝付近に設置され、該ガイド柱を固定することに用い、該反射鏡を該反射鏡定位構造に固定可能にする。
【発明の効果】
【００１１】
本発明の反射鏡定位構造を介して、イメージミラーを容易に固定することができ、且つイメージミラーの角度を容易に調整でき、多くの利点を有する。
【図面の簡単な説明】
【００１２】
【図１】従来のレーザスキャン装置の構造説明図である。
【図２】本発明のレーザスキャン装置の実施例の構造平面図である。
【図３】本発明のイメージミラーの一端が反射鏡定位構造に装着された実施例の構造説明図である。
【図４】本発明の反射鏡収納部材の実施例の構造説明図である。
【図５】本発明の支持部材の実施例の構造説明図である。
【図６】本発明の反射鏡定位構造の実施例の組み合わせ説明図である。
【図７】本発明の反射鏡定位構造の実施例の組み合わせ説明図である。
【図８】本発明の反射鏡定位構造の実施例の組み合わせ説明図である。
【図９】本発明のイメージミラーの他端が他の定位装置に固定された構造図である。
【発明を実施するための形態】
【００１３】
図２を参考とし、本発明のレーザスキャン装置(LSU)２は、レーザビームプリンタ中に応用され、本発明のレーザスキャン装置(LSU)２１は、ビームを発射する光源２１と、光源２１からのビームをコリメータレンズ２２の軸線に平行な平行ビームとすることに用いるコリメータレンズ２２と、平行ビームを収束することに用いる柱面レンズ２３と、モータ（図示せず）で回転を駆動し、柱面レンズ２３からのビームを反射するポリゴンミラー(polygon mirror)２４と、ポリゴンミラー２４が発射するビームを感光ドラム（図示せず）の表面上で走査線に沿って適当な直径を有する光点に集束する２つのfθレンズ２５，２６と、fθレンズ２６及び感光ドラムの間に位置する光経路上でfθレンズ２６を通過するビームを感光ドラムに反射することに用いるイメージミラー２７と、を含む。そのうち、該イメージミラー２７は、反射鏡定位構造３０を介し、レーザスキャン装置２中に固定される。上記光源２１の開/閉状態を制御することにより感光ドラム上で１つの所定の静電潜像を形成することができる。
【００１４】
図３を参照し、本発明のイメージミラー２７の一端は、１つの反射鏡定位構造３０上に設置される。本実施例の反射鏡定位構造３０は、支持部材３１及び反射鏡支持部材３２を含む。該支持部材３１は、該レーザスキャン装置２の底台２９上に設けられ、反射鏡収納部材３２を支持することに用いる。該反射鏡収納部材３２は、該イメージミラー２７を固定、支持することに用い、且つ反射鏡収納部材３２を介し、イメージミラー２７の角度を調整する。
【００１５】
図４を参照し、本実施例の反射鏡収納部材３２は、該イメージミラー２７の一端に接続することに用いる収納部３２１と、該収納部３２１と接続するガイド柱３２２と、を含む。そのうち、該イメージミラー２７は、反射鏡収納部材３２の収納部３２１に固定される。
【００１６】
図５を参照し、本実施の支持部材３１は、第１支持柱３１１と、該第１支持部材３１１付近に設けられる第２支持柱３１２と、該第２支持柱３１２に接続する固定部材３１４と、を含む。該第１支持柱３１１は、物体を支持することに用い、且つ高度が該第２支持部材３１２より低い。該第２支持柱３１２の上端に溝３１３を設け、物体を挟持することに用いる。該固定部材３１４は、螺子孔３１４ａと、螺子３１４ｂと、パッド３１４ｃと、を含む。該螺子孔３１４ａは、該第２支持柱３１２の上端付近に設けられ、該螺子３１４ｂは、パッド３１４ｃを介し、螺子孔３１４ａ中に固定されることができる。
【００１７】
図６、図７を参照し、該反射鏡定位構造３０の組み合わせ方式は、該イメージミラー２７の一端は、該反射鏡収納部材３２の収納部３２１に設置され、該イメージミラーの一端は、該収納部３２１に固定される。続いて、該反射鏡収納部材３２のガイド柱３２２は、該支持部材３１の第２支持柱３１２の溝３１３中に置かれ、ガイド柱３２２を該溝３１３中に挟持させ、且つ該ガイド柱３２２の高度は、溝３１３外に突出する。この時、該溝３１３中の該ガイド柱３２２は、溝３１３中で移動することができないが、溝３１３中で回転することができる。
【００１８】
続いて、図７、図８を参照し、該螺子３１４ｂを利用し、該パッド３１４ｃを介し、該螺子孔３１４ａ中に固定される。この時、該パッド３１４ｃは、該ガイド柱３２２に押圧され、ガイド柱３２２を固定させる。従って、該イメージミラー２７は、該反射鏡定位構造３０中に固定することができる。但し、この種の固定方式は、依然として若干活動できることにより、外力により該イメージミラー２７を若干転動させることできる。
【００１９】
図９を参照し、該イメージミラー２７の他端は、他の定位装置４０に固定される。本実施例のこの定位装置４０の構造は、制限するものではなく、上記同一の反射鏡定位構造を採用することができ、従来の任意の種の定位構造を採用することもできる。
【００２０】
本実施例中、該イメージミラー２７の他端は、同様に、１つの反射鏡収納部材３２に先に設置される。その後、該反射鏡収納部材３２をホール４１の含む第３支持柱４２に設置する。
【００２１】
注意すべきことは、本実施例において、該イメージミラー２７の組み立ては、先ず該反射鏡収納部材３２に装着されるイメージミラー２７の一端を第３支持柱４２のホール４１に貫通し、続いて、該イメージミラー２７の他端を上記該反射鏡帝位構造３０と組み立てるということである。これにより、該イメージミラー２７は、該反射鏡定位構造３０中に簡単に固定でき、且つ治具を利用し、該イメージミラー２７の二端の反射鏡収納部材３２を挟持し、該イメージミラー２７の角度を調整することができる。本発明の反射鏡定位構造３０を利用し、該イメージミラー２７の角度を調整する時、該イメージミラー２７の二端は、同時に回転し、捻り力が該イメージミラー２７に発生することを回避することができる。
【００２２】
本発明の反射鏡定位構造３０は、該イメージミラー２７に用いることに限らず、レーザスキャン装置中の任意の反射鏡に応用することができる。
【００２３】
本発明の反射鏡定位構造３０を介し、イメージミラー２７は、容易に組み立てることができ、且つその角度を容易に調整することができ、且つ捻り力がイメージミラー２７に発生することを回避することができ、多くの利点を有する。
【００２４】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２５】
１        レーザスキャン装置
１１      レーザ光源
１２      コリメータレンズ
１３      開口絞り
１４      柱面レンズ
１５      ポリゴンミラー
１６      ｆθライナースキャンレンズ
１７      イメージミラー
１８      感光ドラム
２        レーザスキャン装置（ＬＳＵ）
２１      光源
２２      コリメータレンズ
２３      柱面レンズ
２４      ポリゴンミラー
２５，２６  ｆθレンズ
２７      イメージミラー
２９      基台
３０      反射鏡定位構造
３１      支持部材
３１１    第１支持柱
３１２    第２支持柱
３１３    溝
３１４    固定部材
３１４ａ  螺子孔
３１４ｂ  螺子
３１４ｃ  パッド
３２      反射鏡収納部材
３２１    収納部
３２２    導引柱
４０      定位装置
４１      ホール
４２      第３支持柱
【図１】
2012123354.tif 000003
【図２】
2012123354.tif 000004
【図３】
2012123354.tif 000005
【図４】
2012123354.tif 000006
【図５】
2012123354.tif 000007
【図６】
2012123354.tif 000008
【図７】
2012123354.tif 000009
【図８】
2012123354.tif 000010
【図９】
2012123354.tif 000011